(57)【要約】【課題】温水供給手段から複数のミスト板に供給した温水を効率良くマイクロミスト化することができるミストサウナ装置を提供すること。【解決手段】温水を供給する温水供給手段１１と、前記温水供給手段１１から前記温水を供給される複数のミスト板１２と、前記ミスト板１２へ向けて温風を送り、マイクロミストを浴室へ放出する温風発生手段４とを備えるミストサウナ装置１０Ａにおいて、前記複数のミスト板１２が、前記温風発生手段４側の端部１２ａを前記温風発生手段４と反対側の端部１２ｂより下にするように傾斜して配置されており、少なくとも前記温水を供給される面に超親水性コーティングが施されている。【選択図】図２
2013188352.tif 000002
【特許請求の範囲】
【請求項１】
温水を供給する温水供給手段と、前記温水供給手段から前記温水を供給される複数のミスト板と、前記ミスト板へ向けて温風を送り、マイクロミストを浴室へ放出する温風発生手段とを備えるミストサウナ装置において、
前記複数のミスト板が、前記温風発生手段側の端部を前記温風発生手段と反対側の端部より下にするように傾斜して配置されており、少なくとも前記温水を供給される面に超親水性コーティングが施されている
ことを特徴とするミストサウナ装置。
【請求項２】
請求項１に記載するミストサウナ装置において、
前記複数のミスト板は、下段のミスト板が、前記温風発生手段と反対側の端部を上段のミスト板よりも突出させており、
前記温水供給手段は、各ミスト板の前記温風発生手段と反対側の端部寄りに前記温水を供給する
ことを特徴とするミストサウナ装置。
【請求項３】
請求項１又は請求項２に記載するミストサウナ装置において、
前記複数のミスト板が、同一角度で傾斜しており、
前記温水供給手段が、前記複数のミスト板に前記温水を同量ずつ滴下する
ことを特徴とするミストサウナ装置。
【請求項４】
請求項１乃至請求項３の何れか一つに記載するミストサウナ装置において、
前記複数のミスト板は、下段のミスト板が、前記温風発生手段側の端部を上段のミスト板よりも突出させている
ことを特徴とするミストサウナ装置。
【請求項５】
請求項１乃至請求項４の何れか一つに記載するミストサウナ装置において、
前記温水供給手段が、温水を飛び散らすスプラッシュノズルと、前記スプラッシュノズルと前記複数のミスト板との間に配置されて前記スプラッシュノズルから飛散した水滴を更に粒径の小さい水滴にして前記複数のミスト板に供給するフィルタとを含む
ことを特徴とするミストサウナ装置。
【請求項６】
請求項１乃至請求項５の何れか一つに記載するミストサウナ装置が組み込まれていることを特徴とする浴室暖房乾燥機。
【発明の詳細な説明】
【技術分野】
【０００１】
本発明は、浴室をミストサウナ状態にするミストサウナ装置及びそのミストサウナ装置を内蔵した浴室暖房乾燥機に関する。
【背景技術】
【０００２】
浴室をミストサウナ状態にするミストサウナ装置は、様々な装置が存在する。例えば、ミストサウナ装置には、６０℃から７０℃程度の温水をノズルで粒径１００μｍ程度のミストを噴霧することにより浴室内をサウナ状態にする方法と、ノズルから噴霧されたミストを高速回転するファンに当ててミストを微細化する方法、超音波を用いて微細ミストを生成する方法などで、粒径が１μｍ以下のミスト（マイクロミスト）を発生させ、そのマイクロミストを温風に乗せて浴室へ送り出すことにより、浴室やシャワー室の温度と湿度を上昇させ、サウナ状態を作り出すものが一般的である。マイクロミストを使用するのは、浴室内や身体を濡らさず、入浴者が快適にミストサウナを利用できるようにするためである。このようなミストサウナ装置は、血流促進効果、体温保温効果、リラックス効果、美容効果など、種々の面で優れ、注目されている。このミストサウナ装置を広く一般家庭に普及させられるように、ミストを効率良く発生させる技術が各種提案されている。
【０００３】
図９は、従来の浴室ミスト暖房システム１００を示す図である。
従来の浴室ミスト暖房システム１００は、給湯暖房機１１０に接続されるミスト配管１１１を備える。ミスト配管１１１の端部は、ミストサウナ装置１０１内に垂下され、シャワーヘッド１０３が取り付けられている。シャワーヘッド１０３の下方には、複数のミスト板１０４が配設されている。ミスト板１０４は、交互に逆傾斜するように上下方向に並んで配置されている。下段のミスト板１０４は、上段のミスト板１０４から流れ落ちた温水を受けることができるように、上段のミスト板１０４に対してずれて配置されている。また、ミスト板１０４は、ミストサウナ装置１０１の設置スペースを小さくするために、同じ方向に傾斜するもの同士、端部を揃えて配置している。最下部のミスト板１０４の更に下側には、貯水タンク１０５が配置されている。貯水タンク１０５は、戻り配管１０６を介して給湯暖房機１１０に接続されている。ミストサウナ装置１０１の背面側には、送風装置１０７が配設されている。
【０００４】
このような浴室ミスト暖房システム１００は、給湯暖房機１１０から供給される温水が、ミスト配管１１１のシャワーヘッド１０３からミスト板１０４へ向けて降り注がれる。温水は、下段のミスト板１０４へ向かって次々と落下する。このとき、温水が飛沫して落下するため、ミストサウナ装置１０１内にミストと蒸気が充満する。この状態で、送風装置１０７が温風を発生すると、ミストが温風に乗って浴室へ送り出され、浴室をミストサウナ状態にする。尚、最下段のミスト板１０４から流れ落ちた温水は、貯水タンク１０５に回収され、その後、戻り配管１０６を介して給湯暖房機１１０へ戻されて再利用される（例えば特許文献１参照）。
【先行技術文献】
【特許文献】
【０００５】
【特許文献１】特開平１０−１５５８６６号公報段落［００１１］［００２０］等
【発明の概要】
【発明が解決しようとする課題】
【０００６】
しかしながら、従来のミストサウナ装置１０１は、複数のミスト板１０４に温水を落下させ、飛沫により生じたミストや蒸気に温風を当ててマイクロミストを発生させていた。シャワーヘッド１０３から供給される温水は、最上段のミスト板１０４に殆ど降り注がれ、上から二番目のミスト板１０４には最上段のミスト板１０４と重ならない端部に降り注がれ、上から三番目以下のミスト板１０４には直接降り注がれていなかった。浴室ミスト暖房システム１００は、最下段のミスト板１０４にまで飛沫を発生させるために、シャワーヘッド１０３から供給する温水の量がマイクロミストの必要量に対して過剰であった。ミスト板１０４に落下した温水は、表面張力で玉のような大きな液滴となってミスト板１０４上を滑るように流れ落ち、下段のミスト板１０４にボタボタと落ちていた。そのため、従来の浴室ミスト暖房システム１００は、液滴が１枚のミスト板１０４に留まって温風に晒される時間が短く、マイクロミストにならずに貯水タンク１０５に回収される湯の量が多くなり、効率が悪かった。
【０００７】
本発明は、上記問題点を解決するためになされたものであり、温水供給手段から複数のミスト板に供給した温水を効率良くマイクロミスト化することができるミストサウナ装置及びそのミストサウナ装置を内蔵した浴室暖房乾燥機を提供することを目的とする。
【課題を解決するための手段】
【０００８】
本発明は、次のような構成を有している。
（１）温水を供給する温水供給手段と、前記温水供給手段から前記温水を供給される複数のミスト板と、前記ミスト板へ向けて温風を送り、マイクロミストを浴室へ放出する温風発生手段とを備えるミストサウナ装置において、前記複数のミスト板が、前記温風発生手段側の端部を前記温風発生手段と反対側の端部より下にするように傾斜して配置されており、少なくとも前記温水を供給される面に超親水性コーティングが施されていることを特徴とする。
ここで、「超親水性」とは、ミスト板に滴下された水滴の接線とミスト板の表面とのなす接触角θが１０度以下であることをいう。
【０００９】
（２）（１）に記載するミストサウナ装置において、前記複数のミスト板は、下段のミスト板が、前記温風発生手段と反対側の端部を上段のミスト板よりも突出させており、前記温水供給手段は、各ミスト板の前記温風発生手段と反対側の端部寄りに前記温水を供給することを特徴とする。
【００１０】
（３）（１）又は（２）に記載するミストサウナ装置において、前記複数のミスト板が、同一角度で傾斜しており、前記温水供給手段が、前記複数のミスト板に前記温水を同量ずつ滴下することを特徴とする。
【００１１】
（４）（１）乃至（３）の何れか一つに記載するミストサウナ装置において、前記複数のミスト板は、下段のミスト板が、前記温風発生手段側の端部を上段のミスト板よりも突出させていることを特徴とする。
【００１２】
（５）（１）乃至（４）の何れか一つに記載するミストサウナ装置において、前記温水供給手段が、温水を飛び散らすスプラッシュノズルと、前記スプラッシュノズルと前記複数のミスト板との間に配置されて前記スプラッシュノズルから飛散した水滴を更に粒径の小さい水滴にして前記複数のミスト板に供給するフィルタとを含むことを特徴とする。
【００１３】
（６）（１）乃至（５）の何れか一つに記載するミストサウナ装置が組み込まれていることを特徴とする浴室暖房乾燥機である。
【発明の効果】
【００１４】
上記ミストサウナ装置は、温水を供給する温水供給手段と、温水供給手段から温水を供給される複数のミスト板と、ミスト板へ向けて温風を送り、マイクロミストを浴室へ放出する温風発生手段とを備えるミストサウナ装置において、複数のミスト板が、温風発生手段側の端部を温風発生手段と反対側の端部より下にするように傾斜して配置されており、少なくとも温水を供給される面に超親水性コーティングが施されているので、ミスト板に供給された温水が、超親水性コーティングにより、接触角が１０度以下の至極薄い膜状の液滴となる。その液滴は、ミスト板の傾斜に倣って温風発生手段側へ流れ落ちようとするが、温風発生手段から送られる温風に押し留められ、温風に晒される時間が長くなる。液滴は、温風によってミスト板から吹き飛ばされて、マイクロミストになる。マイクロミストは、温風に乗って浴室へ放出される。
【００１５】
このように、上記ミストサウナ装置は、温水供給手段からミスト板に供給した温水を、薄い膜状の液滴とし、その液滴がミスト板上で長く温風に晒されてマイクロミスト化されるようにしたので、温水供給手段から複数のミスト板に供給した温水を効率よくマイクロミスト化することができる。
【００１６】
また、上述のミストサウナ装置では、複数のミスト板は、下段のミスト板が、温風発生手段と反対側の端部を上段のミスト板よりも突出させており、温水供給手段は、各ミスト板の温風発生手段と反対側の端部寄りに温水を供給するので、各ミスト板に温水を供給して効率良くマイクロミストを発生させることができる。
【００１７】
また、上述のミストサウナ装置では、複数のミスト板が同一角度で傾斜しており、温水供給手段が複数のミスト板に温水を同量ずつ滴下するので、各ミスト板に温水を均一に供給して、少ないエネルギーでマイクロミストを発生させることができる。
【００１８】
また、上述のミストサウナ装置では、複数のミスト板は、下段のミスト板が、温風発生手段側の端部を上段のミスト板よりも突出させているので、上段のミスト板から流れ落ちた液滴を下段のミスト板で受けられる。下段のミスト板は、上段のミスト板から受けた液滴が表面に薄く広げられて温風に晒され、マイクロミスト化される。よって、このミストサウナ装置によれば、最下段のミスト板まで流れ落ちる温水の量を減らし、効率良くマイクロミストを発生させることができる。
【００１９】
また、上述のミストサウナ装置では、  温水供給手段が、温水を飛び散らすスプラッシュノズルと、スプラッシュノズルと複数のミスト板との間に配置されてスプラッシュノズルから飛散した水滴を更に粒径の小さい水滴にして複数のミスト板に供給するフィルタとを含むので、ミスト板に薄い膜状の液滴を小さい水玉模様状に設け、マイクロミスト化しやすくできる。
【００２０】
上述の何れか一つのミストサウナ装置が組み込まれた浴室暖房乾燥機は、暖房・乾燥機能に加え、効率良くミストサウナ状態を作り出すことができる。
【図面の簡単な説明】
【００２１】
【図１】本発明の第１実施形態に係るミストサウナ装置を組み込んだ浴室暖房乾燥機の概略構成図である。
【図２】図１に示すミストサウナ装置の概略構成図である。
【図３】ミスト板に滴下された液滴の状態を示すイメージ図である。
【図４】ミスト板に滴下された液滴に作用する力を説明するためのイメージ図である。
【図５】ミスト板に滴下された液滴が温風によりマイクロミスト化される動作を上側から見たイメージ図である。
【図６】ミスト板に滴下された液滴が温風によりマイクロミスト化される動作を横側から見たイメージ図である。
【図７】フィルタと水回収部の動作を説明するためのイメージ図である。
【図８】本発明の第２実施形態に係るミストサウナ装置の概略構成図である。
【図９】従来の浴室ミスト暖房システムを示す図である。
【発明を実施するための形態】
【００２２】
以下に、本発明の好ましい実施形態について、図面を参照しつつ詳細に説明する。
【００２３】
（第１実施形態）
図１は、本発明の第１実施形態に係るミストサウナ装置１０Ａを組み込んだ浴室暖房乾燥機１の概略構成図である。図２は、図１に示すミストサウナ装置１０Ａの概略構成図である。図３は、ミスト板１２に滴下された液滴２０の状態を示すイメージ図である。図４は、ミスト板１２に滴下された液滴２０に作用する力を説明するためのイメージ図である。図５は、ミスト板１２に滴下された液滴２０が温風によりマイクロミスト化される動作を上側から見たイメージ図である。図６は、ミスト板１２に滴下された液滴２０が温風によりマイクロミスト化される動作を横側から見たイメージ図である。図７は、フィルタ１３と水回収部１４の動作を説明するためのイメージ図である。
【００２４】
図１に示す浴室暖房乾燥機１は、例えば、浴室２の天井３に埋め込むようにして設置される。浴室暖房乾燥機１は、温風発生手段４が発生した温風を開口部５から浴室２へ送り出し、暖房・乾燥が行われる。また、浴室暖房乾燥機１は、内設された換気扇６が、排気管７を介して外気に接続し、浴室２の換気を行う。このような浴室暖房乾燥機１には、ミストサウナ装置１０Ａが組み込まれ、浴室の暖房・乾燥機能の他に、浴室２をミストサウナ状態にするミストサウナ機能を備える。
【００２５】
ミストサウナ装置１０Ａは、温水供給手段１１、複数のミスト板１２、フィルタ１３、水回収部１４、温風発生手段４などで構成されている。温水供給手段１１は、浴室暖房乾燥機１の本体ケース８に外付けされ、複数のミスト板１２とフィルタ１３と水回収部１４と温風発生手段４が本体ケース８に内設されている。
【００２６】
このような浴室暖房乾燥機１は、ミストサウナ装置１０Ａが暖房・乾燥用の温風発生手段４を共用するので、装置サイズをコンパクトにできると共に、部品点数を減らしてコストダウンを図ることができる。
【００２７】
図２に示すミストサウナ装置１０Ａは、複数のミスト板１２が熱伝導率の高い金属を材質とし、温風により加熱されやすくなっている。本実施形態では、ミスト板１２が錆びにくくするために、ミスト板１２の材質をアルミにしている。
【００２８】
ミスト板１２は、四角い板であって、上下方向に複数枚並べて配置されている。本実施形態では、ミスト板１２を５枚備えるが、２〜４枚でも、６枚以上でも良いことは言うまでもない。複数のミスト板１２は、同一方向に同一角度で傾斜して配置され、設置スペースが小さくされている。ミスト板１２は、温風発生手段４側の端部１２ａを温風発生手段４と反対側の端部１２ｂよりも下にするように傾斜して配置されている。
【００２９】
複数のミスト板１２は、下段のミスト板１２が、温風発生手段４と反対側の端部１２ｂを上段のミスト板１２より外側に突出させるように配置されている。つまり、下段のミスト板１２は、温風発生手段４と反対側の端部１２ｂが上段のミスト板１２と重ならないように配置されている。最下段のミスト板１２の下方には、回収板１５が配置されている。ミスト板１２と回収板１５の表面には、超親水性コーティングが施されている。
【００３０】
ここで、「超親水性」とは、図３に示すように、ミスト板１２に滴下された液滴２０の接線とミスト板１２の表面とのなす接触角θが１０度以下であることをいう。
【００３１】
図２に示すように、複数のミスト板１２の上方には、温水供給手段１１が配設されている。温水供給手段１１は、図示しない給湯暖房機と接続され、液液熱交換器又は二重管で暖房用温水と水を熱交換させ、温水を複数の滴下ノズル１１ａから滴下するものである。滴下ノズル１１ａは、ミスト板１２と同数設けられている。滴下ノズル１１ａは、液滴２０がミスト板１２上を流れる時間を長くするために、ミスト板１２の温風発生手段４と反対側の端部１２ｂ寄りにそれぞれ配置され、端部１２ｂ寄りに温水を各々滴下するようになっている。
【００３２】
フィルタ１３は、複数のミスト板１２を挟んで、温風発生手段４と反対側に配設されている。つまり、フィルタ１３は、複数のミスト板１２に対して、温風の風下に配置されている。フィルタ１３は、粒径が１μｍを超える水滴を除去するための編み目を備え、マイクロミストのみを通過させる。
【００３３】
水回収部１４は、フィルタ１３の真下であって、回収板１５の温風発生手段４と反対側の端部の下となるように配置されている。水回収部１４は、ヒータ１４ａが取り付けられ、加熱されるようになっている。
【００３４】
上記構成のミストサウナ装置１０Ａの動作を説明する。
図２に示すミストサウナ装置１０Ａは、ユーザが浴室暖房乾燥機１のミストサウナモードを設定すると、温水供給手段１１と温風発生手段４とヒータ１４ａを起動させる。温水供給手段１１は、給湯暖房機（図示せず）を流れる暖房用温水の熱により水を加熱する。図中矢印Ｘ２に示すように、温水供給手段１１は、７０℃に加熱された温水を、各滴下ノズル１１ａからミスト板１２へ滴下する。このとき、滴下ノズル１１ａは、ミスト板１２に毎分１０ｃｃずつ温水をそれぞれ滴下する。一方、図中矢印Ｘ１に示すように、温風発生手段４は、６０℃に温めた空気を毎分３〜６ｍ3ずつ複数のミスト板１２へ向けて送る。各ミスト板１２は、温風から熱伝達され、５０℃〜６０℃程度まで加熱される。尚、ミストサウナ装置１０Ａの内部空間Ｓは、温風と温水の熱で、５０℃〜６０℃程度に温められる。更に、ヒータ１４ａは、水を蒸発させられる温度以上に水回収部１４を加熱する。
【００３５】
各ミスト板１２は、温風発生手段４と反対側の端部１２ｂ寄りに滴下ノズル１１ａから温水を滴下される。ミスト板１２の表面には、超親水性コーティングが施されている。そのため、ミスト板１２に滴下された温水は、ミスト板１２の表面に到達すると、図３に示すように、瞬時にミスト板１２の表面に至極薄い膜状に広がり、接触角が１０度以下の液滴２０となる。
【００３６】
図４及び図５の矢印Ｆ１に示すように、ミスト板１２上の液滴２０は、ミスト板１２の表面を傾斜に倣って上方（温風発生手段４と反対側の端部１２ｂ）から下方（温風発生手段４側の端部１２ａ）へ流れ落ちようとする。しかし、図中矢印Ｘ１に示すように、ミスト板１２には、下方（温風発生手段４側の端部１２ａ）から上方（温風発生手段４と反対側の端部１２ｂ）へ向かって、温風発生手段４から毎分３〜６ｍ3ずつ温風が送られている。つまり、液滴２０が流れ落ちようとする向きと逆向きに、温風が吹いている。そのため、液滴２０は、図５に示すように、ミスト板１２の傾斜に沿って流れ落ちようとしても、温風に押しとどめられ、ミスト板１２に滞在する時間が長くなる。よって、液滴２０は、温風に晒される時間が長くなる。
【００３７】
図６の矢印Ｘ１に示すように、温風は、ミスト板１２と液滴２０上を流れる。このとき、液滴２０は、ミスト板１２上に薄い膜状に広がっているため、温風によって細かく波立つ。そして、波の先端は、温風に吹き飛ばされて水滴２１となり、空中に飛び散る。飛び散った水滴２１は、温風に乗ってフィルタ１３へ向かって流れる。ここで、温風とミスト板１２とミストサウナ装置１０Ａの内部空間Ｓが５０℃〜６０℃に加熱されているため、水滴２１も５０℃以上の熱を帯びている。
【００３８】
フィルタ１３は、１μｍを超える水滴を除去する編み目を備える。そのため、図７に示すように、水滴２１のうち、１μｍ以下のマイクロミスト２１ａが、図中矢印Ｘ１に示す温風と共にフィルタ１３を通過する。図中矢印Ｘ３に示す湿気を多く含んだ温風は、浴室２（図１参照）へ放出される。マイクロミスト２１ａは、浴室２で熱を放散し、浴室２の温度を上昇させる。一方、水滴２１のうち、１μｍを超える水滴２１ｂは、フィルタ１３を通過できずにフィルタ１３の表面に付着し、フィルタ１３を伝って水回収部１４へ流れ落ちる。尚、ミスト板１２の温風発生手段４側の端部等から回収板１５へ流れ落ちた温水は、図１の矢印Ｘ５に示すように、温風に押されて、水回収部１４に流れ落ちる。
【００３９】
水回収部１４は、ヒータ１４ａにより１００℃程度に加熱されている。そのため、図１及び図７の矢印Ｘ４に示すように、水回収部１４に回収された水は、蒸発する。蒸気は、６０℃の温風に熱を冷まされてマイクロミスト化され、図中矢印Ｘ３に示すように、温風に乗って浴室２へ送り出される。
【００４０】
ここで、温水供給手段１１は、毎分１０ｃｃという少量で温水を各ミスト板１２に滴下する。そのため、温水供給手段１１から供給される温水の殆どが、ミスト板１２上でマイクロミストとなる。よって、水回収部１４に回収される水の量は、従来技術（図９）より格段に少なく、水回収部１４には消費電力の少ない小型のヒータ１４ａが取り付けられる。ヒータ１４ａの消費電力が少なく、また、各ミスト板１２をヒータを用いずに温風で加熱するため、ミストサウナ装置１０Ａはランニングコストが抑えられる。
【００４１】
以上説明したように、本実施形態のミストサウナ装置１０Ａは、温水を供給する温水供給手段１１と、温水供給手段１１から温水を供給される複数のミスト板１２と、ミスト板１２へ向けて温風を送り、マイクロミストを浴室２へ放出する温風発生手段４とを備えるミストサウナ装置１０Ａにおいて、複数のミスト板１２が、温風発生手段４側の端部を温風発生手段４と反対側の端部より下にするように傾斜して配置されており、少なくとも温水を供給される面に超親水性コーティングが施されているので、各ミスト板１２に供給された温水が、超親水性コーティングにより、接触角が１０度以下の至極薄い膜状の液滴２０となる。その液滴２０は、ミスト板１２の傾斜に倣って温風発生手段４側へ流れ落ちようとするが、温風発生手段４から送られる温風に押し留められ、温風に晒される時間が長くなる。液滴２０は、温風によってミスト板１２の表面から吹き飛ばされてマイクロミスト２１ａになる。マイクロミスト２１ａは、温風に乗って浴室へ放出される。
【００４２】
このように、上記ミストサウナ装置１０Ａは、温水供給手段１１からミスト板１２に供給した温水を、薄い膜状の液滴２０とし、その液滴２０がミスト板１２上で長く温風に晒されてマイクロミスト化されるようにしたので、温水供給手段１１から複数のミスト板１２に供給した温水を効率よくマイクロミスト化することができる。
【００４３】
また、上述のミストサウナ装置１０Ａでは、複数のミスト板１２は、下段のミスト板１２が、温風発生手段４と反対側の端部を上段のミスト板１２よりも突出させており、温水供給手段１１は、各ミスト板１２の温風発生手段４と反対側の端部寄りに温水を供給するので、各ミスト板１２に温水を供給して、効率良くマイクロミストを発生させることができる。
【００４４】
また、上述のミストサウナ装置１０Ａでは、複数のミスト板１２が同一角度で傾斜しており、温水供給手段１１が複数のミスト板１２に温水を同量ずつ滴下するので、各ミスト板１２に温水を均一に供給して、少ないエネルギーでマイクロミストを発生させることができる。
【００４５】
（第２実施形態）
続いて、本発明の第２実施形態について説明する。
図８は、本発明の第２実施形態に係るミストサウナ装置１０Ｂの概略構成図である。
本実施形態のミストサウナ装置１０Ｂは、主に、温水供給手段３１と複数のミスト板３２の構成が第１実施形態のミストサウナ装置１０Ａと相違している。ここでは、第１実施形態と相違する点を中心に説明し、第１実施形態と同様の構成は、図面に第１実施形態と同一の符号を記載し、説明を適宜省略する。
【００４６】
ミストサウナ装置１０Ｂの温水供給手段３１は、給湯暖房機（図示せず）の暖房用温水と熱交換して加熱された温水を、スプラッシュノズル３１ａからフィルタ３１ｂを介して複数のミスト板３２に滴下する。スプラッシュノズル３１ａは、温水を噴霧して細かい水滴を飛び散らすものである。スプラッシュノズル３１ａは、ミスト板３２の温風発生手段４と反対側の端部３２ｂ側に配置され、各ミスト板３２の温風発生手段４と反対側の端部３２ｂ寄りに温水を供給する。フィルタ３１ｂは、温風発生手段４側にのみ開口する箱状に形成され、スプラッシュノズル３１ａと複数のミスト板３２との間に配置されている。フィルタ３１ｂは、スプラッシュノズル３１ａから噴霧された水滴の粒径を小さくするための編み目を備え、微小な粒径の水滴をミスト板３２に滴下させる。
【００４７】
複数のミスト板３２は、超親水性コーティングが表面に施されている。複数のミスト板３２は、同一方向に同一角度で傾斜した状態で、上下方向に並んで配置されている。各ミスト板３２は、温風発生手段４側の端部３２ａを温風発生手段４と反対側の端部３２ｂより下にするように、傾斜して配置されている。複数のミスト板３２は、それぞれ面積が異なる。複数のミスト板３２は、面積が小さいものが上段となるように配置されている。複数のミスト板３２は、下段のミスト板３２が、上段のミスト板３２に対して、温風発生手段４側の端部３２ａと温風発生手段４と反対側の端部３２ｂを突出させるように、配置されている。つまり、複数のミスト板３２は、下段のミスト板３２が温風が吹く方向の両端部３２ａ，３２ｂを上段のミスト板３２に重ねないように配置されている。
【００４８】
水回収部１４は、フィルタ３１ｂとミスト板３２に対して温風の風下に配置され、フィルタ３１ｂを通過しても温風に乗れずに落下した水滴、及び、ミスト板３２でマイクロミストにならなかった水滴を回収できるようになっている。
【００４９】
このようなミストサウナ装置１０Ｂの動作について説明する。
ミストサウナ装置１０Ｂは、ミストサウナモードが設定されると、温水供給手段３１と温風発生手段４とヒータ１４ａを起動させる。温水供給手段３１は、温水をスプラッシュノズル３１ａから噴射し、水滴を発生させる。水滴は、フィルタ３１ｂの広範囲に飛び散って付着し、フィルタ３１ｂの編み目から更に粒径の小さい水滴となって、ミスト板３２に分散して落下する。
【００５０】
水滴は、各ミスト板３２に施された超親水性コーティングにより、ミスト板３２の表面に薄い膜状に広がって、接触角が１０度以下の液滴２０となる。水滴は、フィルタ３１ｂから少量ずつ広範囲に滴下されるため、ミスト板３２には、液滴２０が小さな水玉模様のように多数形成される。液滴２０は、量が少ないため、温風に吹き飛ばされてマイクロミスト化しやすい。マイクロミスト２１ａは、温風に乗って浴室２へ送られ、浴室２の温度を上昇させる。
【００５１】
尚、マイクロミスト２１ａにならずに落下した水滴２１ｂは、水回収部１４に回収される。水回収部１４は、ヒータ１４ａの熱で回収した水を蒸発させる。蒸気は、温風等に冷却されてマイクロミスト化する。このマイクロミストは、温風に乗って、浴室２へ送られる。
【００５２】
以上説明したように、本実施形態のミストサウナ装置１０Ｂは、温水供給手段３１からミスト板３２に供給した温水を、薄い膜状の液滴２０とし、その液滴２０がミスト板３２上で長く温風に晒されてマイクロミスト化されるようにしたので、温水供給手段３１から複数のミスト板３２に供給した温水を効率よくマイクロミスト化することができる。
【００５３】
また、上述のミストサウナ装置１０Ｂでは、複数のミスト板３２は、下段のミスト板３２が、温風発生手段４側の端部３２ａを上段のミスト板３２よりも突出させているので、上段のミスト板３２から流れ落ちた液滴２０を下段のミスト板３２で受けられる。下段のミスト板３２は、上段のミスト板３２から受けた液滴２０が表面に薄く広げられて温風に晒され、マイクロミスト化される。よって、このミストサウナ装置１０Ｂによれば、最下段のミスト板３２まで流れ落ちる温水の量を減らし、効率良くマイクロミストを発生させることができる。
【００５４】
また、上述のミストサウナ装置１０Ｂでは、  温水供給手段３１が、温水を飛び散らすスプラッシュノズル３１ａと、スプラッシュノズル３１ａと複数のミスト板３２との間に配置されてスプラッシュノズル３１ａから飛散した水滴を更に粒径の小さい水滴にしてミスト板３２に供給するフィルタ３１ｂとを含むので、ミスト板３２に薄い膜状の液滴２０を小さい水玉模様状に設け、マイクロミスト化しやすくできる。
また、スプラッシュノズル３１ａで噴霧したミストは、温風に乗ってフィルタ３１ｂに当たり、粒径が１μｍ以下のマイクロミストは、温風に乗って浴室２へ送られる。
【００５５】
尚、本発明は、上記実施形態に限定されることなく、色々な応用が可能である。
例えば、上記実施形態では、ミストサウナ装置１０Ａ，１０Ｂを浴室暖房乾燥機１に組み込んだが、ミストサウナ装置１０Ａ，１０Ｂ単体で浴室２に取り付けても良い。この場合、ミストサウナ装置１０Ａ，１０Ｂは、専用の温風発生手段を搭載することになる。
例えば、上記実施形態の温水や温風、内部空間Ｓ等の温度は一例であって、これらに限定されないことは言うまでもない。
【符号の説明】
【００５６】
１  浴室暖房乾燥機
４  温風発生手段
１０Ａ，１０Ｂ  ミストサウナ装置
１１，３１  温水供給手段
１２，３２  ミスト板
１２ａ，１２ｂ、３２ａ，３２ｂ  端部
３１ａ  スプラッシュノズル
３１ｂ  フィルタ
【図１】
2013188352.tif 000003
【図２】
2013188352.tif 000004
【図３】
2013188352.tif 000005
【図４】
2013188352.tif 000006
【図５】
2013188352.tif 000007
【図６】
2013188352.tif 000008
【図７】
2013188352.tif 000009
【図８】
2013188352.tif 000010
【図９】
2013188352.tif 000011